(57)【要約】【課題】動画撮影中の静止画撮影時において、被写体以外から発する音声が動画に記録されることを防ぐ。【解決手段】動画を撮影する動画撮影手段と、動画を記録媒体に記録する動画記録手段と、音声を記録する音声記録手段と、音声を出力する音声出力手段と、周囲音を判別する周囲音認識手段と、動画中に記録される特定の周波数の音を低減する音声低減手段とを備え、前記動画撮影中に前記周囲音を判別して、前記周囲音の周波数帯域から離れた周波数帯の前記電子音を発し、前記電子音を前記音声低減手段で低減することを特徴とする。【選択図】図３
2016208209.tif 000002
【特許請求の範囲】
【請求項１】
動画を撮影する動画撮影手段と、
動画を記録媒体に記録する動画記録手段と、
音声を記録する音声記録手段と、
音声を出力する音声出力手段と、
周囲音を判別する周囲音認識手段と、
動画中に記録される特定の周波数の音を低減する音声低減手段とを備え、
前記動画撮影中に前記周囲音を判別して、前記周囲音の周波数帯域から離れた周波数帯の前記電子音を発し、前記電子音を前記音声低減手段で低減することを特徴とする撮像装置。
【発明の詳細な説明】
【技術分野】
【０００１】
本発明は、撮像装置に関する。
【背景技術】
【０００２】
近年、撮像装置、特にデジタルカメラでは、機能の進化に伴い、動画を撮影しながら静止画撮影を行う事が可能になった。静止画撮影をしながらシャッターボタンを押す数秒間前までさかのぼった動画を記録する機能があり、その動画を１日ごとに１ファイルの動画に自動で編集し、記録するものもある。
【０００３】
静止画撮影をする直前には、撮影者は撮影のタイミングを被写体に知らせる掛け声を発する事が多い。動画撮影中に静止画撮影を行った場合には、撮影者の声が動画に入り込んでしまう。更に撮影した動画を１日分連続した動画に編集した時には、静止画撮影直前の撮影者の掛け声が何度も記録されてしまう事になる。
【０００４】
また、動画撮影時に記録される音として、内部要因にて発生する音、つまり撮像装置本体から発せられる疑似シャッター音などの内蔵スピーカから発音する電子音や、ズーム作動時などの作動音がある。一方、外部要因から受ける音、撮像装置本体以外から聞こえる撮影者の声や被写体の声、周囲の雑音などもある。
【０００５】
特許文献１には、撮像装置の静止画撮影時に発する疑似シャッター音、つまり内部要因にて発生する電子音を内蔵スピーカから放音し、内蔵マイクによって集音された音データから、疑似シャッター音をシャッター音フィルタによって除去して音声データを記録する、という技術が開示されている。
【先行技術文献】
【特許文献】
【０００６】
【特許文献１】特開２００６−３１１４１２号公報
【発明の概要】
【発明が解決しようとする課題】
【０００７】
しかしながら、特許文献１に開示された従来技術では、内蔵スピーカから放音する疑似シャッター音しか除去することができず、撮影者の声は除去できなかった。
【０００８】
また、疑似シャッター音に対してシャッター音フィルタを通す際に、疑似シャッター音と被写体などの音声の周波数帯が同帯域の場合は、被写体音声も一緒に除去されてしまう可能性があった。
【０００９】
そこで、本発明の目的は、動画撮影中の静止画撮影時において、動画中の周囲の音や被写体の声を残しつつ、撮影者が意図しない騒音、つまり被写体以外から発する音声が動画に記録されることを防ぐことを可能にした撮像装置を提供することにある。
【課題を解決するための手段】
【００１０】
上記の目的を達成するために、本発明の撮像装置は、動画を撮影する動画撮影手段と、動画を記録媒体に記録する動画記録手段と、音声を記録する音声記録手段と、音声を出力する音声出力手段と、周囲音を判別する周囲音認識手段と、動画中に記録される特定の周波数の音を低減する音声低減手段とを備え、前記動画撮影中に前記周囲音を判別して、前記周囲音の周波数帯域から離れた周波数帯の前記電子音を発し、前記電子音を前記音声低減手段で低減することを特徴とする。
【発明の効果】
【００１１】
本発明の撮像装置によれば、動画撮影時に周囲音を判別して、静止画撮影の合図を知らせる掛け声を周囲音の周波数帯域から離れた周波数帯を使用した電子音で行い、動画保存前に電子音を低減することにより、動画撮影中の周囲の音や被写体の声を残しつつ、動画記録時に撮影者が意図しない被写体や周囲の音以外からの音声が記録されることを防ぐことができる。
【図面の簡単な説明】
【００１２】
【図１】撮像装置の背面側の斜視図である。
【図２】撮像装置の構成を示すブロック図である。
【図３】撮影処理を示すフローチャートである。
【図４】撮影処理を示すフローチャートである。
【図５】電子音の音量を決定する際の一覧表である。
【図６】電子音の音量決定例を示す図である。
【発明を実施するための形態】
【００１３】
以下に、本発明の好ましい実施の形態を、添付の図面に基づいて詳細に説明する。ここでは、撮像装置の例としてデジタルカメラを用いて説明する。
【００１４】
＜第１の実施形態＞
図１は撮像装置１０１の背面側の斜視図である。
【００１５】
撮像装置１０１の上面には、シャッターボタン１０２とモード選択ダイアル１０３が設けられている。モード選択ダイアル１０３は、オート、マニュアル、動画等の撮影モードを設定できるものである。動画撮影時に音声を集音するマイク１０４がある。マイク１０４の上には音孔があり、音孔は撮像装置１０１の上面に設けられている。撮像装置１０１の背面には、表示部１０５が設けられている。表示部１０５には、撮像された画像、撮像装置１０１に装着されたメモリカードから読み出された画像、撮像装置１０１の各種設定のための画像等が表示される。表示部１０５の右側には、各種設定等で利用される選択ボタン１０６、メニューボタン１０７、ズームボタン１０８、スピーカ１０９が設けられ、選択ボタン１０６の中央には実行ボタン１１０が設けられている。スピーカ１０９の上には音孔があり、音孔は撮像装置１０１の背面に設けられている。
【００１６】
図２は本実施の形態における撮像装置１０１の電気的構成を示すブロック図である。
【００１７】
撮像装置１０１は、撮像系、記録再生系、制御系を有する。記録再生系は、メモリ２０１を含み、制御系は、カメラシステム制御部２０２、各種センサ２０３、Ｉ／Ｏ（Ｉｎｐｕｔ／Ｏｕｔｐｕｔ）２０４、レンズ系制御部２０５を有する。各種センサ２０３は、音声を認識する音声認識センサ２０６、撮像面から主被写体までの距離情報を検出する測距センサ２０７や露光状態等を検出する露光センサ２０８を含む。Ｉ／Ｏ（Ｉｎｐｕｔ／Ｏｕｔｐｕｔ）２０４は、シャッターボタン１０２、モード選択ダイヤル１０３、マイク１０４、表示部１０５、選択ボタン１０６、メニューボタン１０７、ズームボタン１０８、スピーカ１０９、実行ボタン１１０を含む。
【００１８】
カメラシステム制御部２０２は、シャッターボタン１０２、選択ボタン１０６、実行ボタン１１０等の操作を検出する。シャッターボタン１０２は、２段のＯＮとＯＦＦを検出するスイッチで構成されている。１段目を押下するとスイッチ１、２段目を押下するとスイッチ２の信号出力が行われる。カメラシステム制御部２０２は、Ｉ／Ｏ２０４からの出力信号に応動して各部を制御し、撮像の際のタイミング信号などを生成して出力する。
【００１９】
撮影時の制御動作をブロック図をもとに説明する。
【００２０】
撮影者はモード選択ダイヤル１０３によって静止画または動画撮影モードに設定する。撮影者がシャッターボタン１０２の１段目を押下すると、カメラシステム制御部２０２はスイッチ１の信号を検出する。次にカメラシステム制御部２０２は、測距センサ２０７から測距情報を読み込む。その後、カメラシステム制御部２０２はレンズ系制御部２０５と通信し、レンズ系制御部２０５は不図示の撮像光学系を制御して、被写体にピントを合わせる。更にシャッターボタン１０２を２段目まで押下すると、スイッチ２の信号検出が行われる。
【００２１】
静止画撮影モード時には、カメラシステム制御部２０２は、Ｉ／Ｏのスピーカ１０９を介して撮影の合図であるシャッター音を出力する。その後にカメラシステム制御部２０２は、撮像系から読み込まれた光学像を光電変換して、画像データとしてメモリ２０１に保存する。
【００２２】
動画撮影モード時には、シャッターボタン１０２のスイッチ２の信号が検出されると、カメラシステム制御部２０２は動画撮影を開始する。再びシャッターボタン１０２のスイッチ２が押下されると、カメラシステム制御部２０２は動画撮影を停止し、メモリ２０１に動画データを記録する。更に、Ｉ／Ｏ２０４のマイク１０４からの音声を信号としてカメラシステム制御部２０２に入力し、動画データとしてメモリ２０１に併せて保存する。動画データ再生時、カメラシステム制御部２０２は動画撮影時にマイク１０４から入力された音声を、Ｉ／Ｏのスピーカ１０９から出力する。
【００２３】
次に、本実施例における静止画撮影直前の動画を自動編集し記録する撮影モード（以下、ムービーダイジェストモード）について説明する。
【００２４】
撮像装置１０１は、ムービーダイジェストの撮影モードを有する。カメラシステム制御部２０２は、ムービーダイジェストモードで以下の処理を行う。
【００２５】
撮影者がモード選択ダイヤル１０３を操作し、ムービーダイジェストモードを選択する。カメラシステム制御部２０２は動画撮影を開始する。この時、カメラシステム制御部２０２は、撮影者には動画撮影を行っている旨を伝えずに動画撮影処理を行う。カメラシステム制御部２０２は、メモリ２０１にムービーダイジェストモード選択以後の動画データを一時的に保存する。メモリ２０１の容量が一杯になった場合は、カメラシステム制御部２０２は一時的に保存している動画データを過去のものから順に消去する。
【００２６】
ムービーダイジェストモード選択中に、シャッターボタン１０２の２段目が押下され、スイッチ２の信号検出が行われると、カメラシステム制御部２０２は静止画撮影を行う。そして静止画撮影データとしてメモリ２０１に保存する。更にカメラシステム制御部２０２は、ムービーダイジェストモード選択時から動画撮影処理を行っていた動画データから、シャッターボタン１０２のスイッチ２の信号が検出される直前４秒間の動画を抜き出し、動画撮影データとしてメモリ２０１へ保存する。カメラシステム制御部２０２は、一時的に保存していた不要な動画の削除を行う。
【００２７】
図３は本実施の形態におけるムービーダイジェストモード時のカメラシステム制御部２０２の処理を示すフローチャート図である。
【００２８】
モードダイヤル１０３にてムービーダイジェストモードが選択されると、カメラシステム制御部２０２は、動画撮影を開始する（ステップＳ３０１）。カメラシステム制御部２０２は、撮影された動画データをメモリ２０１に保存する（ステップＳ３０２）。ステップＳ３０２の動画撮影は、静止画撮影処理が行われるまで続ける。次に、シャッターボタン１０２の１段目が押されたかどうかを判定する（ステップＳ３０３）。ステップＳ３０３でシャッターボタン１０２の１段目が押された場合、シャッターボタン１０２の１段目が１秒以上押下されたかどうかを判定する（ステップＳ３０４）。ステップＳ３０４にて、シャッターボタン１０２の１段目が１秒以上押下された場合は、撮影者が静止画撮影の意思を示したとみなし、ステップＳ３０５へ進む。
【００２９】
ステップＳ３０４の判定は、本実施例ではシャッターボタン１０２の１段目が１秒以上押下された場合に、撮影者が静止画撮影の意思を示したと判定される。他にも表示部１０５がタッチパネルを有する表示装置である時に、別途コマンドを設けてもよい。例えば、タッチパネル機能をもつ表示部１０５に指を触れ、その指を離す動作を行うことで静止画撮影ができる撮像装置１０１である場合は、２本の指で表示部１０５に触れた時に、撮影者が撮影の意思を示したと判定する。
【００３０】
ステップＳ３０４で撮影者が静止画撮影の意思を示したと判定された場合、カメラシステム制御部２０２は、電子音の周波数帯と音量を決定する（ステップＳ３０５）。
【００３１】
ここでステップＳ３０５のカメラシステム制御部２０２が電子音の音量と周波数を決定する処理は以下の通りに行われる。
【００３２】
図５は電子音の音量を決定するカメラシステム制御部２０２の判定基準を示す一覧表である。
【００３３】
カメラシステム制御部２０２は、撮影状況を認識して、撮影シーンの判別を行う。また、測距センサ２０７を用いて被写体までの距離を測定する。音声認識センサ２０６によって周囲音の音量を判別する。撮影シーンを判別した結果より、カメラシステム制御部２０２は、例えば図５に示すように、屋外、集合写真、屋内、夜間、動物、寝顔など各撮影シーンにより点数付けを行う。更に、測距センサ２０７からの距離情報により、主被写体までの距離を判別した結果、例えば図５のように近距離、遠距離、無限遠など主被写体までの距離に応じて点数付けを行う。
【００３４】
周囲音の音量についても、音声認識センサ２０６より判別した結果より、例えば図５のように大きい、ふつう、小さい、微小もしくは無音など各判別により点数付けを行う。以上より、カメラシステム制御部２０２は、撮影シーンや主被写体までの距離、周囲音の音量に応じて、スピーカ１０９を介して発音する電子音の音量を決定する。
【００３５】
図６は本実施例でカメラシステム制御部２０２が電子音の音量を決定した一例を示す図である。
【００３６】
例えば、カメラシステム制御部２０２は、撮影状況を認識して、撮影シーンを屋外であると判別し、測距センサ２０７より主被写体までの距離は近距離に被写体がいると判別する。そして音声認識センサ２０６より周囲音の音量が大きいと判断される。その場合は、カメラシステム制御部２０２がスピーカ１０９を介して被写体に向けて静止画撮影を通知する合図である、「ハイ！チーズ！」の電子音の音量の大きさは、音量６０で発音される。
【００３７】
また、カメラシステム制御部２０２が、撮影状況を認識して、撮影シーンを寝顔であると判別し、測距センサ２０７より主被写体までの距離は近距離に被写体がいると判別する。そして音声認識センサ２０６より周囲音の音量が小さいと判断する。その場合は、カメラシステム制御部２０２がスピーカ１０９を介して被写体に向けて静止画撮影を通知する合図である、「ハイ！チーズ！」の電子音の音量の大きさは、音量０で発音される。
【００３８】
カメラシステム制御部２０２が撮影シーン判別にて、動物である、もしくは寝顔であると判断した場合には、電子音を発音しても聞き取れない、もしくは電子音を発音してはいけないと判断し、電子音の音量の大きさは音量０となる。
【００３９】
同様に、カメラシステム制御部２０２が被写体までの距離は無限遠であると判別した場合には、電子音を発音しても距離が遠いため被写体が聞き取れないと判断し、電子音の音量は音量０となる。
【００４０】
更に、カメラシステム制御部２０２が周囲音の音量を微小もしくは無音と判別した場合には、音を出してはいけない環境下で撮影していると判断し、電子音の音量の大きさは音量０としてもよい。その場合に、不図示のオートフォーカス用補助光などを利用して、光で被写体に撮影を行う旨を通知することができる。
【００４１】
ステップＳ３０５において周波数に関しては、以下のように決定する。
【００４２】
ステップＳ３０５において、外的要因から受ける騒音が大きい、つまり図５で音声認識センサ２０６が周囲音の音量は大きいと判別した場合、周囲の音の周波数解析を行う。音声認識センサ２０６の周波数解析結果より、カメラシステム制御部２０２は、可聴域かつ周囲音の周波数以外の周波数帯を使用した電子音を発音すると決定する。周囲音の周波数以外の周波数帯を使用した電子音を発音することで、後にステップＳ３０９で電子音をノイズキャンセルした時に周囲の音も一緒にノイズキャンセルしてしまうことを防ぐ。
【００４３】
次に、ステップＳ３０５において、外的要因から受ける騒音が小さい、つまり図５で音声認識センサ２０６が周囲音の音量は小さいと判別した場合は、以下の処理を行う。ステップＳ３０５にて外的要因から受ける騒音が小さいと判別されたのを受け、カメラシステム制御部２０２は、次のステップＳ３０６で発音する電子音の周波数帯は可聴域かつ人間に最も聞き取りやすい周波数帯を使用して電子音を発音すると決定する。
【００４４】
以上より、ステップＳ３０５にてカメラシステム制御部２０２は、電子音の周波数帯と音量を決定する。
【００４５】
ステップＳ３０５の決定した音量、周波数に基づき撮像装置１０１はスピーカ１０９を介して被写体に向けて静止画撮影を通知する合図である、「ハイ！チーズ！」の電子音を発音する（ステップＳ３０６）。
【００４６】
ステップＳ３０７では、でシャッターボタン１０２の２段目が押下されたかどうかを判定し、２段目が押下された場合には、静止画の撮影処理を行う（ステップＳ３０８）。その後、スピーカ１０９より発音した「ハイ！チーズ！」の電子音をノイズキャンセルしてから（ステップＳ３０９）、カメラシステム制御部２０２は、メモリ２０１に一時保存していた、シャッターボタン１０２のスイッチ２の信号が検出される直前４秒間の動画と、同様にステップＳ３０８で撮影された静止画をメモリ２０１に保存処理を行う（ステップＳ３１０）。
【００４７】
ステップＳ３０６でスピーカ１０９から発音した電子音をステップＳ３０９でノイズキャンセルする方法は、例えば特開２０１０−１３５８７６号公報で示されているような、騒音の周波数帯域に属する周波数成分を低減する公知の方法を利用してよい。もしくは特開２００３−２３３９５６号公報で示されているような、パルス発生器に対して与えた指示と、パルスカウンタからフィードバックされてきたパルス情報を元に、騒音相殺信号の位相・レベル特性の制御情報を計算し、位相特性補正回路、レベル補正回路に指示を出し、音声信号の減算回路において、音声信号から差し引くような公知の方法を利用してもよい。
【００４８】
また、ステップＳ３０３でシャッターボタン１０２の１段目を押下していない場合は、カメラシステム制御部２０２は撮影者がまだ撮影の意思を示していないと判断し、ステップＳ３０２に戻り動画保存を続ける。同様にステップＳ３０４でシャッターボタン１０２の１段目を１秒以上押下していない場合も、ステップＳ３０２に戻り動画保存を続ける。
【００４９】
以上より、カメラシステム制御部２０２は、ステップＳ３０６で撮影を被写体に知らせる合図をスピーカ１０９から発する電子音で行い、ステップＳ３０９にて撮影された動画データをメモリ２０１に保存する前に電子音をノイズキャンセルすることにより、動画撮影中の周囲の音や被写体の声を残しつつ、撮影者が意図しない被写体や周囲の音以外からの音声が記録されることを防ぐことができる。
【００５０】
＜第２の実施形態＞
本実施形態は第１の実施形態を応用して適応したものである。
【００５１】
以下、第１の実施形態において共通の部分について説明を省略し、第１の実施形態と異なる点を中心に説明する。
【００５２】
本実施形態において第１の実施形態と異なる点は、図３のステップＳ３０２とステップＳ３０３の間のカメラシステム制御部２０２の処理に、ズームボタン１０８の入力信号の検出有無を考慮した処理を加えている点である。
【００５３】
図４は、ムービーダイジェストモード時に電子音の周波数帯を決定するカメラシステム制御部２０２の処理を示すフローチャート図である。
【００５４】
ステップＳ４０１にて、カメラシステム制御部２０２はズームボタン１０８の操作を検出したかどうかを判定する。ステップＳ４０１で、カメラシステム制御部２０２がズームボタン１０８の操作を検出すると、レンズ系制御部２０５は撮像光学系を制御して、ズーム動作を行ったと判断される。ステップＳ４０１でカメラシステム制御部２０２がズームボタン１０８の操作を検出しないと判定された場合には、ステップＳ３０３へ進む。そして、カメラシステム制御部２０２は第１の実施例のステップＳ３０３〜ステップＳ３１０と同様の処理を行う。
【００５５】
ステップＳ４０１でカメラシステム制御部２０２がズームボタン１０８の操作を検出したと判定した場合には、ズーム動作終了後４秒以内にシャッターボタン１０２が押されたかどうかを判定する（ステップＳ４０２）。ズーム動作終了後４秒以内にシャッターボタン１０２が押されていない場合は、カメラシステム制御部２０２はズーム動作音が動画データに記録されることがないと判断し、ステップＳ３０２へ戻り、再び動画保存を続ける。
【００５６】
ステップＳ４０２でシャッターボタン１０２の１段目が押された場合、シャッターボタン１０２の１段目が１秒以上押下されたかどうかを判定する（ステップＳ４０３）。ステップＳ４０３にて、シャッターボタン１０２の１段目が１秒以上押下された場合は、撮影者が静止画撮影の意思を示したとみなし、ステップＳ４０４へ進む。
【００５７】
ステップＳ４０４では、カメラシステム制御部２０２は、電子音の音量を決定する。ステップＳ４０４での電子音の音量の決定方法は、第１の実施例と同様とする。カメラシステム制御部２０２は、ステップＳ４０２より、特定の周波数帯の騒音であるズーム動作時の鏡筒駆動音が記録されてしまうと判断する。よって、次のステップＳ４０５で発音する電子音は、鏡筒駆動音と同じ周波数帯の電子音を発音すると決定する。そしてカメラシステム制御部２０２はスピーカ１０９を介して被写体に向けて静止画撮影を通知する合図である「ハイ！チーズ！」の電子音を発する（ステップＳ４０５）。
【００５８】
その後、第１の実施例と同様にステップＳ３０７でシャッターボタン１０２の２段目が押下されたかどうかを判定する。シャッターボタン１０２の２段目が押下されたとカメラシステム制御部２０２が検出した場合には、静止画の撮影処理を行う（ステップＳ３０８）。
【００５９】
そして、ステップＳ３０９に進み、鏡筒の駆動音と、スピーカ１０９が発音した「ハイ！チーズ！」の電子音を一括でノイズキャンセルする。その後、カメラシステム制御部２０２は、メモリ２０１に一時保存していた、シャッターボタン１０２のスイッチ２の信号が検出される直前４秒間の動画をメモリ２０１に保存する（ステップＳ３１０）。同様にステップＳ３１０では、ステップＳ３０８で撮影された静止画もメモリ２０１に保存処理を行う。
【００６０】
もし、ステップＳ４０１にて特定の周波数帯の騒音であるズーム動作の時の鏡筒駆動音の周波数帯と、外部要因から受ける音である周囲音の周波数帯が近い場合は、カメラシステム制御部２０２はステップＳ３０９にてノイズキャンセルするレベルを少なくしてもよい。その場合、鏡筒の駆動音と一緒に周囲音が大きくノイズキャンセルされてしまうことを防ぐことができる。
【００６１】
また、カメラシステム制御部２０２がステップＳ４０４にて撮影地点の周囲音の音量が無音もしくは微小であると判定できた場合には、撮影された動画にはズーム動作音のみ記録されると判断し、以下の処理を行うこともできる。カメラシステム制御部２０２は、ステップＳ３０９にてスピーカ１０９を介して被写体に向けて静止画撮影を通知する合図である、「ハイ！チーズ！」の電子音の部分と、ズーム動作が行われた時の音声を記録しない。その後、カメラシステム制御部２０２は、ステップＳ３０８で撮影処理が行われる。カメラシステム制御部２０２は、メモリ２０１に一時保存していた、シャッターボタン１０２のスイッチ２の信号が検出される直前４秒間の動画と、同様にステップＳ３０８で撮影された静止画をメモリ２０１に保存処理を行う。
【００６２】
以上の方法により、カメラシステム制御部２０２は、ズーム動作の有無に応じて、被写体に向けて静止画撮影を通知する合図である電子音の種類を適切に制御することにより、外部要因から受ける騒音をなくし、撮影者が意図しない内部要因から発生する騒音もノイズキャンセルすることができる。
【００６３】
以上、本発明の好ましい実施形態について説明したが、本発明はこれらの実施形態に限定されず、その要旨の範囲内で種々の変形及び変更が可能である。
【符号の説明】
【００６４】
１０１  撮像装置、１０２  シャッターボタン、１０３  モード選択ダイアル
【図１】
2016208209.tif 000003
【図２】
2016208209.tif 000004
【図３】
2016208209.tif 000005
【図４】
2016208209.tif 000006
【図５】
2016208209.tif 000007
【図６】
2016208209.tif 000008